(57)【要約】【課題】  胎児の心音をより正確に検出することが可能な携帯端末を提供すること。【解決手段】  本発明の携帯端末１は、マイク１１から入力される音の検出信号に基づいて、マイク１１が検出した音のレベルが所定値以上であるか否かを判定する音判定部１３と、音判定部１３による判定に基づいて、上記レベルが所定値以上となった回数が所定時間において所定回数以上であるか否かを判定する心音判定部１５と、マイク１１の周波数感度を所定範囲で変化させると共に、心音判定部１５による判定に応じてマイク１１の周波数感度を固定する周波数制御部１７と、心音判定部１５による判定に応じて、マイク１１から入力された検出信号に基づいて所定の処理を行う処理部１９と、を備えることを特徴とする。【選択図】  図１
2006288620.tif 000002
【特許請求の範囲】
【請求項１】
マイクから入力される音の検出信号に基づいて、前記マイクが検出した音のレベルが所定値以上であるか否かを判定する第１判定手段と、
前記第１判定手段による判定に基づいて、前記レベルが前記所定値以上となった回数が所定時間において所定回数以上であるか否かを判定する第２判定手段と、
前記マイクの周波数感度を所定範囲で変化させると共に、前記第２判定手段による判定に応じて前記マイクの周波数感度を固定する周波数制御手段と、
前記第２判定手段による判定に応じて、前記マイクから入力された前記検出信号に基づいて所定の処理を行う処理手段と、
を備えることを特徴とする携帯端末。
【請求項２】
前記処理手段は、
前記第１判定手段によって前記検出値が所定値以上であると判定する回数をカウントするカウント手段と、
当該カウントが実施されている間の時間を測定するタイマーと、
前記カウント手段によってカウントされた回数と前記タイマーによって測定された時間とに基づいて心拍数を算出する算出手段と、
を備えることを特徴とする請求項１に記載の携帯端末。
【請求項３】
前記処理手段は、前記マイクから入力された前記検出信号を増幅して可聴音として出力するスピーカを更に備えることを特徴とする請求項１又は２に記載の携帯端末。
【発明の詳細な説明】
【技術分野】
【０００１】
本発明は、携帯端末に関する。
【背景技術】
【０００２】
人の心拍数を簡易に測定することができる携帯端末がある。特許文献１には、携帯電話に心拍数を測定するセンサを搭載した携帯端末について記載されている。
【特許文献１】特開２００２−１０２１７９号公報
【発明の開示】
【発明が解決しようとする課題】
【０００３】
胎児の心音を検出することによって、胎児の健康状態を確認することが行われている。また、検出した心音に基づいて胎児の心拍数を算出することによって、簡易的に胎児の健康状態を診断することができる。このとき、一般的に胎児の心音の検出は医療機関にて行われる為、自宅などの任意の場所で胎児の心音を簡易に検出可能な携帯型の端末が望まれている。
【０００４】
しかし、胎児の心音を検出するには、人（生後）の心拍数を測定する場合とは異なる困難性がある。まず、母体の腹部において胎児の心臓の位置が特定できない為、胎児の心音を連続的に検出することが困難である。また、胎児の心音と母体の心音との判別が困難である。従って、上記特許文献１に記載された人（生後）用のセンサを用いて心拍数を測定した場合、測定した心拍数の正確性が問題となる。
【０００５】
本発明は、上記問題点を解消する為になされたものであり、胎児の心音をより正確に検出することが可能な携帯端末を提供することを目的とする。
【課題を解決するための手段】
【０００６】
本発明の携帯端末は、マイクから入力される音の検出信号に基づいて、マイクが検出した音のレベルが所定値以上であるか否かを判定する第１判定手段と、第１判定手段による判定に基づいて、上記レベルが所定値以上となった回数が所定時間において所定回数以上であるか否かを判定する第２判定手段と、マイクの周波数感度を所定範囲で変化させると共に、第２判定手段による判定に応じてマイクの周波数感度を固定する周波数制御手段と、第２判定手段による判定に応じて、マイクから入力された検出信号に基づいて所定の処理を行う処理手段と、を備えることを特徴とする。
【０００７】
本発明の携帯端末では、第１判定手段が、入力される音の検出信号のレベルが所定値以上であるか否かを判定し、第２判定手段が、第１判定手段による判定に基づいて、レベルが所定値以上となった回数が所定時間において所定回数以上であるか否かを判定するので、胎児の心音の速度に対応する音を検出しているかどうか把握することができる。すなわち、胎児の心音の速度と母体の心音の速度との差に基づいて、母体の心音を検出している場合を排除することができる。更に、周波数制御手段が、マイクの周波数感度を所定範囲で変化させ、第２判定手段による判定に応じて、マイクの周波数感度を固定するので、マイクの周波数感度を胎児の心音をより確実に検出している周波数付近に固定することができる。更に、処理手段が、第２判定手段による判定に応じて、入力された検出信号に基づいて所定の処理を行うので、より正確に胎児の心音を検出して、検出信号を処理することができる。
【０００８】
本発明の携帯端末では、処理手段は、第１判定手段によって検出値が所定値以上であると判定する回数をカウントするカウント手段と、当該カウントが実施されている間の時間を測定するタイマーと、カウント手段によってカウントされた回数とタイマーによって測定された時間とに基づいて心拍数を算出する算出手段と、を備えることも好ましい。
【０００９】
このように、第１判定手段によって所定値以上であると判定された回数と、その回数をカウントしている間の時間と、に基づいて心拍数を算出するので、より正確に胎児の心拍数を算出することができる。
【００１０】
本発明の携帯端末では、処理手段は、マイクから入力された検出信号を増幅して可聴音として出力するスピーカを更に備えることも好ましい。このように、スピーカから心音を可聴音として出力するので、胎児の心音をより確実にとらえることができる。
【発明の効果】
【００１１】
本発明によれば、胎児の心音をより正確に検出することが可能な携帯端末を提供することができる。
【発明を実施するための最良の形態】
【００１２】
以下、図面とともに本発明による携帯端末の好適な実施形態について詳細に説明する。なお、図面の説明においては同一要素には同一符号を付し、重複する説明を省略する。
【００１３】
図１は、本発明による携帯端末の好適な一実施形態を示す概略構成図である。同図に示す携帯端末１は、胎児等の人の心音を検出する装置であり、例えば、携帯電話機、ＰＨＳ（Personal Handyphone System）、ＰＤＡ（Personal Digital Assistance）等の端末装置である。携帯端末１は、その構成要素として、マイク１１と、音判定部１３（第１判定手段）と、心音判定部１５（第２判定手段）と、周波数制御部１７（周波数制御手段）と、処理部１９（処理手段）と、を含んで構成されている。以下、各構成要素について詳細に説明する。
【００１４】
マイク１１は、外部から音を検出して検出信号を出力する部分である。マイク１１は、検出した音の検出信号を音判定部１３及び処理部１９へ出力する。
【００１５】
音判定部１３は、マイク１１から入力される音の検出信号に基づいて、マイク１１が検出した音のレベルが所定値以上であるか否かを判定する部分である。所定値は、マイク１１を母体の腹部に当てた際にマイク１１が検出する胎児の心音の下限値程度の値に設定することが好ましい。音判定部１３は、判定した結果を心音判定部１５及び処理部１９へ出力する。
【００１６】
心音判定部１５は、音判定部１３による判定に基づいて、上記レベルが所定値以上となった回数が所定時間において所定回数以上であるか否かを判定する部分である。例えば、所定時間を３秒、所定回数を５回と設定することができる。心音判定部１５は、判定結果を周波数制御部１７及び処理部１９へ出力する。
【００１７】
周波数制御部１７は、マイク１１の周波数感度を所定範囲で変化させると共に、心音判定部１５による判定に応じてマイク１１の周波数感度を固定する部分である。すなわち、周波数制御部１７は、マイク１１の周波数感度を変化させ、心音判定部１５によって上記レベルが所定値以上となった回数が所定時間において所定回数以上であると判定されると、マイク１１の周波数感度を固定する。周波数制御部１７が変化させるマイク１１の周波数感度の変化速度は、心音判定部１５による判定の所要時間に応じて決定される。所定周波数範囲は、胎児の心音を検出可能な周波数範囲である。所定周波数範囲は、母体の心音を検出する周波数範囲を除くことが好ましい。所定周波数範囲は、例えば、２４Ｈｚ程度から２６Ｈｚ程度である。
【００１８】
処理部１９は、心音判定部１５による判定に応じて、マイク１１のから入力された検出信号に基づいて所定の処理を行う部分である。すなわち、処理部１９は、心音判定部１５によって上記レベルが所定値以上となる回数が所定時間において所定回数以上であると判定されてから所定回数未満であると判定されるまで、所定の処理を行う。処理部１９は、スピーカ２１と、カウンタ２３（カウント手段）と、タイマー２５と、算出部２７（算出手段）と、表示部２９と、を備えて構成され、以下に述べる所定の処理を実行する。
【００１９】
スピーカ２１は、マイク１１から入力された検出信号を増幅して可聴音として外部に出力する部分である。すなわち、スピーカ２１は、心音判定部１５によって上記レベルが所定値以上となる回数が所定時間において所定回数以上であると判定されると、マイク１１が検出した音の出力を開始する。その後、スピーカ２１は、心音判定部１５によって上記レベルが所定値以上となる回数が所定時間において所定回数未満であると判定されると、マイク１１が検出した音の出力を終了する。
【００２０】
カウンタ２３は、音判定部１３によって上記レベルが所定値以上であると判定した回数を計数（カウント）する部分である。すなわち、カウンタ２３は、心音判定部１５によって上記レベルが所定値以上となる回数が所定時間において所定回数以上であると判定されると、計数を開始する。その後、カウンタ２３は、心音判定部１５によって上記レベルが所定値以上となる回数が所定時間において所定回数未満であると判定されると、計数を終了する。カウンタ２３は、処理結果であるカウント数を算出部２７へ出力する。
【００２１】
タイマー２５は、カウンタ２３がカウントを行っている間の時間を測定する部分である。すなわち、タイマー２５は、心音判定部１５によって上記レベルが所定値以上となる回数が所定時間において所定回数以上であると判定されてから所定値未満であると判定されるまでの間の時間を測定することとなる。タイマー２５は、測定結果を算出部２７へ出力する。
【００２２】
算出部２７は、カウンタ２３によってカウントされた回数とタイマー２５によって測定された時間とに基づいて心拍数を算出する部分である。例えば、カウントされた回数が１００回で、測定された時間が５０秒の場合、算出部２７によって心拍数が１２０ｂｐｍと算出される。算出部２７は、算出した心拍数と、カウンタ２３によってカウントされた回数と、タイマー２５によって測定された時間と、を表示部２９へ出力する。
【００２３】
表示部２１は、算出部２７によって算出された心拍数と、カウンタ２３によってカウントされた回数と、タイマー２５によって測定された時間と、を表示する部分である。
【００２４】
引き続いて、図２を参照しながら携帯端末１の動作について説明する。図２は、本発明による携帯端末１の動作を示すフローチャートである。
【００２５】
まず、周波数制御部１７によってマイク１１の周波数感度の変化が開始される（ステップＳ１）。周波数感度の変化が開始されてから、音判定部１３と心音判定部１５との協働によって上記レベルが所定値以上となった回数が３秒間に５回未満であると判定される（ステップＳ２；ＮＯ）と、処理をステップＳ２に戻す。
【００２６】
一方、周波数感度の変化が開始されてから、音判定部１３と心音判定部１５との協働によって上記レベルが所定値以上となった回数が３秒間に５回以上であると判定される（ステップＳ２；ＹＥＳ）と、周波数制御部１７によってマイク１１の周波数感度が固定される（ステップＳ３）。
【００２７】
同時に、カウンタ２３によるカウント及びタイマー２５による測定が開始されることによって、心拍数の測定が開始される（ステップＳ４）。また、同時に、スピーカ２１による出力が開始される（ステップＳ５）。
【００２８】
スピーカ２１による出力が開始されてから、心音判定部１５によって上記レベルが所定値以上となった回数が１秒間に１回以上であると判定される（ステップＳ６；ＹＥＳ）と、処理をステップＳ６に戻す。
【００２９】
一方、スピーカ２１による出力が開始されてから、心音判定部１５によって上記レベルが所定値以上となった回数が１秒間に１回未満であると判定される（ステップＳ６；ＮＯ）と、カウンタ２３によるカウント及びタイマー２５による測定を終了することによって、心拍数の測定を終了する（ステップＳ７）。同時に、スピーカ１７による音の出力が終了される（ステップＳ８）。
【００３０】
音の出力が終了されると、算出部２７によって心拍数が算出される（ステップＳ９）。心拍数が算出されると、表示部２１によってカウント数、測定時間及び心拍数が図３のように表示される（ステップ１０）。
【００３１】
図３には、表示部２１によって表示される表示画面の例を示す。この画面には、２００５年２月１６日に行った測定において、カウント数６２回、測定時間３０秒、心拍数１２４ｂｐｍであることが表示されている。
【００３２】
以上説明した携帯端末１では、音判定部１３が、入力される音の検出信号のレベルが所定値以上であるか否かを判定し、心音判定部１５が、音判定部１３による判定に基づいて、上記レベルが所定値以上となった回数が所定時間において所定回数以上であるか否かを判定するので、胎児の心音の速度に対応する音を検出しているかどうか把握することができる。すなわち、胎児の心音の速度と母体の心音の速度とに基づいて、母体の心音を検出している場合を排除することができる。周波数制御部１７が、マイク１１の周波数感度を所定範囲で変化させ、心音判定部１５による判定に応じて、マイク１１の周波数感度を固定するので、マイク１１の周波数感度を胎児の心音をより確実に検出している周波数付近に固定することができる。更に、処理部１９が、心音判定部１５による判定に応じて、入力された検出信号に基づいて所定の処理を行うので、より正確に胎児の心音を検出して、検出信号を処理することができる。
【００３３】
また、所定の処理として、心音判定部１５によって、音判定部１３による判定に基づいて上記レベルが所定値以上となった回数が所定時間において所定回数以上であると判定されている間に、カウンタ２３が音判定部１３によって所定値以上であると判定された回数をカウントし、アイマー２５がカウントしている間の時間を測定する。その結果に基づいて心拍数を算出するので、より正確に胎児の心拍数を算出することができる。
【００３４】
また、所定の処理として、心音判定部１５によって、音判定部１３による判定に基づいて上記レベルが所定値以上となった回数が所定時間において所定回数以上であると判定されている間に、スピーカ２１が心音を可聴音として出力する。よって、胎児の心音をより確実にとらえることができる。
【００３５】
本発明は、上記実施形態に限定されるものではなく、種々の変形が可能である。例えば、心音判定部１３が検知状態を判定してから未検知状態と判定するまでの間にマイク１１によって検出された音を、携帯端末１に備えられた録音機能にて録音してもよい。また、カウント数、測定時間及び心拍数を、携帯端末１がネットワークを介してサーバ装置等に送信してもよい。
【図面の簡単な説明】
【００３６】
【図１】本発明による携帯端末の好適な一実施形態を示す概略構成図である。
【図２】本発明による携帯端末の動作を示すフローチャートである。
【図３】図１の携帯端末に含まれる表示部について説明するための図である。
【符号の説明】
【００３７】
１…携帯端末、１１…マイク、１３…音判定部、１５…心音判定部、１７…周波数制御部、１９…処理部、２１…スピーカ、２３…カウンタ、２５…タイマー、２７…算出部、２９…表示部。
【図１】
2006288620.tif 000003
【図２】
2006288620.tif 000004
【図３】
2006288620.tif 000005